【事件の表示】
　特願２０１０−２５４４６０「音声情報記録・再生装置」拒絶査定不服審判事件〔平成２３年　３月　３日出願公開、特開２０１１−　４４１８０〕について、次のとおり審決する。
【結　論】
　本件審判の請求は、成り立たない。
【理　由】
第１　手続の経緯
　本願は、２００３年９月２６日（優先権主張：２００２年９月２６日（日本国）、２００２年１０月４日（日本国）、２００２年１２月２７日（日本国）、２００２年１２月２７日（日本国）、２００２年１２月２７日（日本国））を国際出願日とする特願２００５−５０１９５４号の一部を平成１８年９月２６日に新たに特許出願（特願２００６−２６１５５５号）し、またその特許出願の一部を平成１９年２月６日に新たに特許出願（特願２００７−２６４７１号）し、またその特許出願の一部を平成２０年７月７日に新たに特許出願（特願２００８−１７７４１６号）し、またその特許出願の一部を平成２２年１１月１５日に新たに特許出願したものである。
　本願は、平成２３年３月８日付け拒絶理由通知に対して、同年４月２８日に手続補正書が提出されたが、同年８月１７日付けで拒絶査定がなされ、これに対して、同年１１月１日に不服審判が請求されるとともに、同時に手続補正書が提出されたものである（平成２３年１１月１日に提出された手続補正書は、同月１１日に提出された手続補正書（方式）によって補正されたが、その内容に実質的な変更はない。）。
　なお、本願に関して、平成２３年１１月８日に請求人より早期審理に関する事情説明書が提出されており、同年１２月７日付けの早期審理に関する報告書により、早期審理に付すことが決定されている。
　
　
第２　補正の却下の決定
［結論］
　平成２３年１１月１日に提出された手続補正書による補正（以下、「本件補正」という。）を却下する。
　
［理由］ 
 （ａ）補正の内容 
　本件補正によると、その特許請求の範囲の請求項１は、
「音声情報を入力する音声情報入力手段と、
　媒体表面にイメージまたはテキストと重畳して印刷され
、当該イメージまたはテキストに対応するコード番号情報が含まれた、そのような
　前記音声情報入力手段から入力された音声情報を、前記光学読取手段で読み取られたドットパターンに関連付けて記憶する記憶手段と、
　前記光学読取手段によって前記ドットパターンが再度読み取られたときに、前記記憶手段から当該ドットパターンに関連付けられた音声情報を読み出して出力する音声出力手段と、
　からなる音声情報記録・再生装置。」
と補正されている。
　上記補正は、本件補正前の請求項１に記載した発明を特定するために必要な事項である「媒体表面にイメージまたはテキストと重畳して印刷され、所定の配置法則で印刷されたドットパターン」を、「媒体表面にイメージまたはテキストと重畳して印刷され、
当該イメージまたはテキストに対応するコード番号情報が含まれた、そのような
　そこで本件補正後の前記請求項１に記載された発明（以下、「本願補正発明」という。）が、特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）否かについて以下検討する。 
　
（ｂ）引用例
（ｂ１）原査定の拒絶の理由に引用された特開２０００−１０８５６１号公報（平成１２年４月１８日公開。以下、「引用例１」という。）には、図面とともに次の記載がある（下線は当審において付与。以下同様。）。
　
ア．「【０００７】一方、幼児のために、使用者自身例えば母親の声の録音による音声入り絵本が望まれるが、従来の穿孔型絵入りカードとＣＤとを組み合わせたようなシステムでは、オリジナル音声入り絵本を創ることはできない。
【０００８】かかる点に鑑み、この発明の目的は、関連情報の記憶可能時間がカードなどの印刷媒体の大きさに制約されず、また、印刷媒体の印刷内容と、その関連情報との対応を確実にとることができる情報記憶装置および情報再生装置を提供するところにある。」
　
イ．「【０００９】
【課題を解決するための手段】前記課題を解決するため、請求項１の発明による
情報記憶装置は、絵や文字などが印刷されているとともに、インデックス情報が付与されている印刷媒体の、前記インデックス情報を読み取るインデックス情報読み取り手段と、前記読み取り手段で読み取られたインデックス情報をメモリに登録するインデックス情報登録手段と、前記インデックス情報登録手段により登録されたインデックス情報に対応して、前記印刷媒体に印刷された絵や文字などに関連する情報を、前記メモリに記憶する関連情報記憶手段と、を有することを特徴とする
【００１０】また、請求項２の発明は、請求項１の発明において、
前記インデックス情報は、種別コード部を含むインデックスコードで構成され、前記種別コード部により、前記印刷媒体と、前記メモリに記憶されている前記関連する情報との対応を取るようにする
【００１１】上述の構成の請求項１の発明による情報記憶装置においては、例えば小型の半導体メモリなどを用いることにより、印刷媒体の大きさに制約されることなく、長時間の音声などの関連情報の記憶が可能となる。
【００１２】また、請求項２の発明のように、種別コードを含むインデックスコードをインデックス情報として用いることにより、印刷媒体の内容とメモリに記憶する情報との対応を確実にとることができる。
【００１３】更に、使用者自身の録音が可能であって、オリジナル音声入り絵本を創ることができる。
【００１４】また、請求項８の発明の
情報再生装置は、絵や文字などが印刷されているとともに、インデックス情報が付与されている印刷媒体の、前記インデックス情報を読み取るインデックス情報読み取り手段と、インデックス情報に対応して、前記印刷媒体に印刷された絵や文字などに関連する情報が記憶されているメモリと、前記インデックス情報読み取り手段で読み取られたインデックス情報を参照情報として、対応する前記関連する情報を前記メモリから読み出す関連情報読み出し手段とを有することを特徴とする
【００１５】また、請求項９の発明の情報再生装置は、請求項８において、
前記インデックス情報は、種別コード部を含むインデックスコードで構成され、前記種別コード部により、前記印刷媒体と、前記メモリに記憶されている前記関連する情報との対応を取るようにする
【００１６】上述の構成の請求項８の発明による情報再生装置においては、例えば、小型の半導体メモリを記憶媒体とすることにより、印刷媒体の大きさに制約されることなく、長時間の音声などの関連情報の再生が可能となる。
【００１７】また、請求項９の発明のように、種別コードを含むインデックスコードをインデックス情報として付与することにより、印刷媒体の内容とメモリに記憶されている慣例情報との対応を確実にとることができる。」
　
ウ．「【００１８】
【発明の実施の形態】以下、図１〜図１０を参照しながら、この発明の実施の形態について説明する。以下の実施の形態は、
印刷媒体に印刷された絵や文字などに関連する情報が音声情報の場合であって、この発明の情報記憶装置の実施の形態と、情報再生装置の実施の形態との両方を含む録音再生装置の場合の例である
【００１９】［実施の形態の構成］この発明の実施の形態の概念的構成を図１に示す。この実施の形態は、小型のＩＣメモリカード１０と、予め制作されたインデックス付き絵入りカード２１と、録音再生装置３０とから構成される。」
　
エ．「【００２３】また、メモリカード１０が未録音の場合は、メモリカード１０内のメモリには、図３Ｂに示すように、種別コード登録エリア１０ｍｄ、ユーザエリア１０ｍｅが設定されており、後述のように、使用者自身によるオリジナル音声など、所定のデータを格納することができる。
【００２４】この実施の形態では、上述のようなメモリカードを録音媒体とすることにより、長時間の音声を録音することができて、絵入りカードの大きさに制約されることがない。」
　
オ．「【００２５】一方、図４に示すように、インデックス付き絵入りの組カード２０Ｃｄでは、複数のカード２１Ａ，２１Ｂ‥‥２１Ｅのそれぞれに、例えば、動物の絵が描かれており、カード２１Ａ〜２１Ｅの各右上隅には、メモリカード１０に記憶されている、描かれた絵に関連する情報を特定するためのインデックス情報（種別・番号（メモリアドレスに対応）など）を表わすための、インデックス領域２２Ａ〜２２Ｅが設けられている。」
　
カ．「【００２９】図５にも示すように、この実施の形態の録音再生装置３０は、ほぼ円柱状の筐体３１の上面に、メモリカード１０を接続するための差し込み口３２が設けられると共に、筐体３１の側面には、絵入りカード２１の右上隅を挿入して、インデックス領域２２のコード情報を読み取るためのスロット３３が設けられる。
【００３０】また、筐体３１の上面には、
マイクロホン３４
スピーカ３６
【００３１】そして、液晶ディスプレイ３５には、インデックス番号情報や文字情報が表示され、
スピーカ３６からは、カード２１に描かれている動物の名前などが、
音声で出力される
【００３２】図６に示すように、録音再生装置３０のスロット３３には、
カード２１のインデックス領域２２のコード情報を読み取るために、例えば１６個の、反射型の光学センサ３８ａ〜３８ｐが配設される
　
キ．「【００３５】上述のような光学センサ３８ａ〜３８ｐに対応して、図８に示すように、
インデックス領域の２２コード領域２３は、１６分割されて
【００３６】また、
各分割領域２３ａ〜２３ｐは、例えば、図８で網掛けとして示した黒印刷と、銀または白の印刷とで、赤外線などの光を吸収ないしは反射するようにされて、それぞれ“１”と“０”とに対応する
　
ク．「【００４３】この実施の形態の録音再生装置は、電気的に、図９に示すように構成される。
【００４４】図９において、マイクロホン３４のアナログ出力が、増幅回路４２を通じて、Ａ−Ｄ変換器４３に供給され、デジタル音声信号に変換されて、システム制御回路（マイクロコンピュータ）４１に供給される。このシステム制御回路４１には、外部メモリ１０ｍと、液晶ディスプレイ３５とが接続される。
【００４５】外部メモリ１０ｍは、ＲＯＭおよびＲＡＭなどから構成されて、前述のＩＣメモリカード１０に対応し、
未録音の場合は、マイクロホン３４からの、使用者自身の音声など、所定のデータを格納することができる
　
ケ．「【００６９】そして、ステップ２０７で、録音ボタンが押されるのを待って、ステップ２０８に進み、使用者、例えば、母親が絵本の各ページの文を読むと、その声がメモリのユーザエリア（図３Ｂ参照）に、アドレスごとに順次に録音される。」
　
コ．「【００７１】上述のような録音処理ルーチン２００によって得られた、オリジナル音声付絵本は、前述のような音声再生処理ルーチン１００により、メモリに録音された音声を再生することができて、子供は、絵本を見ながら、母親が読み聞かせる音声を安心して聞くことができる。」
　
サ．【図４】及び【図８】には、インデックス領域２２のコード領域２３が、複数の三角形のパターンとして構成されていることが開示されている。
　
　したがって、引用例１には、次の発明（以下、「引用発明」という。）が開示されているものと認められる。
「絵や文字などが印刷されているとともに、インデックス情報が付与されている印刷媒体の、前記インデックス情報を読み取るインデックス情報読み取り手段と、前記読み取り手段で読み取られたインデックス情報をメモリに登録するインデックス情報登録手段と、前記インデックス情報登録手段により登録されたインデックス情報に対応して、前記印刷媒体に印刷された絵や文字などに関連する音声情報を、前記メモリに記憶する関連情報記憶手段と、を有することを特徴とする情報記憶装置と、
　絵や文字などが印刷されているとともに、インデックス情報が付与されている印刷媒体の、前記インデックス情報を読み取るインデックス情報読み取り手段と、インデックス情報に対応して、前記印刷媒体に印刷された絵や文字などに関連する音声情報が記憶されているメモリと、前記インデックス情報読み取り手段で読み取られたインデックス情報を参照情報として、対応する前記関連する情報を前記メモリから読み出す関連情報読み出し手段とを有することを特徴とする情報再生装置と、
　の両方を含む録音再生装置であって、
　前記インデックス情報は、種別コード部を含むインデックスコードで構成され、前記種別コード部により、前記印刷媒体と、前記メモリに記憶されている前記関連する音声情報との対応を取るようにし、また、インデックス情報（インデックス領域のコード領域）は、分割されて、各分割領域は、黒印刷と、銀または白印刷とで、赤外線などの光を吸収ないしは反射するようにされて、それぞれ“１”と“０”とに対応して、複数の三角形のパターンとして構成され、
　使用者自身の音声を格納するためのマイクロホンと、
　印刷媒体（カード）に描かれている動物の名前などが音声で出力されるスピーカと、
　インデックス情報（インデックス領域のコード情報）を読み取るための光学センサと、
　が設けられた録音再生装置。」
　
　
（ｂ２）原査定の拒絶の理由に引用された国際公開第０１／４１００３号（２００１年６月７日国際公開。以下、「引用例２」という。）には、図面とともに次の記載がある。
　
シ．「In its preferred form, the netpage system relies on the production of, and human interaction with, netpages. These are pages of text, graphics and images printed on ordinary paper or other media, but which work like interactive web pages. Information is encoded on each page using ink which is substantially invisible to the unaided human eye. The ink, however, and thereby the coded data, can be sensed by an optically imaging pen and transmitted to the netpage system.」（第６頁第２４−２８行）
（当審訳：
好ましい形態において、ネットページ・システムはそのネットページの作成、および、ネットページに対するユーザの対話に依存する。これらは
通常の用紙または他の媒体上に印刷されたテキスト、グラフィックおよび画像のページ
情報は、肉眼ではほぼ不可視なインクを使用して各ページ上にコード化される
　
ス．「As illustrated in Figure 1, a printed netpage 1 can represent a interactive form which can be filled in by the user both physically, on the printed page, and "electronically", via communication between the pen and the netpage system. The example shows a "Request" form containing name and address fields and a submit button. The netpage consists of graphic data 2 printed using visible ink, and coded data 3 printed as a collection of tags 4 using invisible ink. The corresponding page description 5, stored on the netpage network, describes the individual elements of the netpage. In particular it describes the type and spatial extent (zone) of each interactive element (i.e. text field or button in the example), to allow the netpage system to correctly interpret input via the netpage. The submit button 6, for example, has a zone 7 which corresponds to the spatial extent of the corresponding graphic 8.」（第６頁第３４行−第７頁第８行）
（当審訳：
図１に示されているように、印刷されたネットページ１は対話フォームを表示することができ、該フォームはユーザにより、印刷されたページ上で物理的に、かつ、ペンとネットページ・システムとの間の通信により「電子的」に記入することができる。上記の例は、氏名およびアドレスフィールドと提出ボタンとを含む「リクエスト」フォームを示している。
上記ネットページは、可視インクを使用して印刷されたグラフィック・データ２と、不可視インクを使用してタグ４の集合として印刷されたコード化データ３とからなる。
 
セ．「Netpages are the foundation on which a netpage network is built. They provide a paper-based user interface to published information and interactive services. A netpage consists of a printed page (or other surface region) invisibly tagged with references to an online description of the page. The online page description is maintained persistently by a netpage page server. The page description describes the visible layout and content of the page, including text, graphics and images. It also describes the input elements on the page, including buttons, hyperlinks, and input fields. A netpage allows markings made with a netpage pen on its surface to be simultaneously captured and processed by the netpage system. 」（第９頁第８−１４行）
（当審訳：
ネットページは、ネットページネットワークが構築される基礎である。ネットページは、発行された情報およびインタラクティブ・サービスに対する紙ベースのユーザインタフェースを提供する。
ネットページは、そのページのオンライン記述に関して不可視にタグ付けされ印刷されたページ（もしくは他の面領域）からなる。
上記ページ記述は、テキスト、グラフィックおよび画像などの、そのページの可視のレイアウトおよび内容を記述する。
　
ソ．「Tags are printed in infrared-absorptive ink on any substrate which is infrared-reflective, such as ordinary paper. Near-infrared wavelengths are invisible to the human eye but are easily sensed by a solid-state image sensor with an appropriate filter.」（第９頁第２１−２３行）
（当審訳：
タグは、通常の用紙のような赤外線反射性を有する任意の基面上に赤外線吸収インクで印刷される。近赤外線波長は人間の目には不可視であるが、適切なフィルタを備えた半導体画像センサにより容易に検知される。）
　
タ．「In a preferred embodiment, the region to which a tag refers coincides with an entire page, and the region ID encoded in the tag is therefore synonymous with the page ID of the page on which the tag appears. In other embodiments, the region to which a tag refers can be an arbitrary subregion of a page or other surface. For example, it can coincide with the zone of an interactive element, in which case the region ID can directly identify the interactive element.」（第１０頁第１１−１５行）
（当審訳：
好ましい実施形態においてタグが参照する領域はページ全体と一致することから、上記タグ内にコード化された領域ＩＤは、そのタグが現れるページのページＩＤと同義である。他の実施形態においては、
タグが参照する領域はページもしくは他の面における任意の部分的領域とされ得る。例えばそれは、対話エレメントの区域と一致し得るが、その場合に領域ＩＤはその対話エレメントを直接的に識別し得る。
　
チ．「An alternative tag structure more suited to a regular tiling is shown in Figure 5a. The tag 4 is square and has four perspective targets 17. It is similar in structure to tags described by Bennett et al. in US Patent 5,051,746. The tag represents sixty 4-bit Reed-Solomon symbols 47, for a total of 240 bits. The tag represents each one bit as a dot 48, and each zero bit by the absence of the corresponding dot. The perspective targets are designed to be shared between adjacent tags, as shown in Figures 5b and 5c. Figure 5b shows a square tiling of 16 tags and the corresponding minimum field of view 193, which must span the diagonals of two tags. Figure 5c shows a square tiling of nine tags, containing all one bits for illustration purposes. 」（第１３頁第３−９行）
（当審訳：
図５ａは、
規則的なタイリングにより適している別のタグ構造体
タグは、全部で２４０ビットになる６０個の４ビットのリード・ソロモン記号４７を表す。タグは、各１ビットをドット４８として表し、対応するドットがないところは、各ゼロ・ビットを表す。
　
ツ．「An object-indicating (or function-indicating) tag contains a tag ID which directly identifies a user interface element in the page description associated with the region (or equivalently, a function). All the tags in the zone of the user interface element identify the user interface element, making them all identical and therefore indistinguishable. Object-indicating tags do not, therefore, support the capture of an absolute pen path. They do, however, support the capture of a relative pen path. So long as the position sampling frequency exceeds twice the encountered tag frequency, the displacement from one sampled pen position to the next within a stroke can be unambiguously determined. As an alternative, the netpage pen 101 can contain a pair or motion-sensing accelerometers, as described in our earlier application PCT/AUOO/00565.」（第１４頁第２５−３２行）
（当審訳：
オブジェクト表示（または、機能表示）タグは、その領域（または、等価に、ある機能）に関連するページ記述内のユーザ・インターフェース・エレメントを直接識別するタグＩＤを含む。ユーザ・インターフェース・エレメントのゾーン内のすべてのタグは、ユーザ・インターフェース・エレメントを識別し、すべてのタグを同一に、すなわち、識別不能にする。
　
　
（ｃ）対比
　本願補正発明と引用発明とを対比する。
（１）引用発明の録音再生装置は、本願補正発明の「音声情報記録・再生装置」に相当する。
（２）引用発明のマイクロホンは、本願補正発明の「音声情報を入力する音声情報入力手段」に相当する。
（３）引用発明において、印刷媒体には絵や文字などが印刷されているとともに、インデックス情報が付与されており、前記インデックス情報は、種別コード部を含むインデックスコードで構成され、前記種別コード部により、前記印刷媒体と、前記メモリに記憶されている前記関連する音声情報との対応を取るようにしており、また、前記インデックス情報は、複数の三角形のパターンとして印刷されている。
　したがって、引用発明のインデックス情報は、本願補正発明の「媒体表面にイメージまたはテキストと重畳して印刷され、当該イメージまたはテキストに対応するコード番号情報が含まれた、そのようなドットパターン」と、「媒体表面にイメージまたはテキストとともに印刷され、当該イメージまたはテキストに対応するコード番号情報が含まれた、そのようなパターン」である点で一致する。
（４）引用発明のインデックス情報読み取り手段は、インデックス情報を読み取るものであり、光センサで構成されている。よって、引用発明のインデックス情報読み取り手段は、本願補正発明の「ドットパターンを読み取る光学読取手段」と、「パターンを読み取る光学読取手段」である点で一致している。
（５）引用発明の情報記憶装置は、読み取り手段で読み取られたインデックス情報をメモリに登録するインデックス情報登録手段と、前記インデックス情報登録手段により登録されたインデックス情報に対応して、前記印刷媒体に印刷された絵や文字などに関連する音声情報を、メモリに記憶する関連情報記憶手段を有するものである。ここで、音声情報はマイクロホンにより入力されるものであり、インデックス情報はパターンで構成されている。
　したがって、引用発明のインデックス情報登録手段及び関連情報記憶手段は、本願補正発明の「前記音声情報入力手段から入力された音声情報を、前記光学読取手段で読み取られたドットパターンに関連付けて記憶する記憶手段」と、「前記音声情報入力手段から入力された音声情報を、前記光学読取手段で読み取られたパターンに関連付けて記憶する記憶手段」である点で一致している。
（６）引用発明の情報再生装置は、インデックス情報に対応して、前記印刷媒体に印刷された絵や文字などに関連する音声情報が記憶されているメモリと、前記インデックス情報読み取り手段で読み取られたインデックス情報を参照情報として、対応する前記関連する情報を前記メモリから読み出す関連情報読み出し手段とを有するものである。ここで、印刷媒体に印刷された絵や文字などに関連する音声情報は、以前に情報記憶装置により記憶されたものであり、読み出された音声情報はスピーカにより音声で出力される。
　したがって、引用発明の関連情報読み出し手段及びスピーカは、本願補正発明の「前記光学読取手段によって前記ドットパターンが再度読み取られたときに、前記記憶手段から当該ドットパターンに関連付けられた音声情報を読み出して出力する音声出力手段」と、「前記光学読取手段によって前記パターンが再度読み取られたときに、前記記憶手段から当該パターンに関連付けられた音声情報を読み出して出力する音声出力手段」である点で一致している。
　
　よって、本願補正発明と引用発明との一致点・相違点は、次のとおりである。
＜一致点＞
「音声情報を入力する音声情報入力手段と、
　媒体表面にイメージまたはテキストとともに印刷され、当該イメージまたはテキストに対応するコード番号情報が含まれた、そのようなパターンを読み取る光学読取手段と、
　前記音声情報入力手段から入力された音声情報を、前記光学読取手段で読み取られたパターンに関連付けて記憶する記憶手段と、
　前記光学読取手段によって前記パターンが再度読み取られたときに、前記記憶手段から当該パターンに関連付けられた音声情報を読み出して出力する音声出力手段と、
　からなる音声情報記録・再生装置。」
　である点。
　
＜相違点＞
　媒体表面にイメージまたはテキストとともに印刷され、当該イメージまたはテキストに対応するコード番号情報が含まれた、そのようなパターンが、本願補正発明は、ドットパターンであって、イメージまたはテキストと重畳して印刷されているのに対して、引用発明は、複数の三角形のパターンであって、イメージまたはテキストと重畳していない点。
　
　
（ｄ）判断
　以下、相違点について判断する。
　引用例２には、ドットの規則的なタイリングからなる構造体によりタグを表現し、当該タグを、通常の用紙または他の媒体上に印刷されたテキスト、グラフィックおよび画像のページ上に、肉眼ではほぼ不可視なインクを使用してコード化する技術、及びタグＩＤによりその領域に関連する、テキスト、グラフィックおよび画像などの、そのページの可視のレイアウトを記述するページ記述内のユーザ・インターフェース・エレメントを直接識別する技術（オブジェクト表示タグ技術）が記載されている。
　また請求人が、平成２２年１１月２９日に提出した上申書に従来技術として開示された特開平６−２３１４６６号公報にも、可視情報のタイトルの上に、ドットコードを透明のインクを使って重ねて印刷する技術が記載されている（段落【０３２８】，【図５１】（Ｂ））。
　よって、本願の優先日前には、媒体表面にイメージまたはテキストに重畳して印刷され、当該イメージまたはテキストに対応する情報が含まれた不可視（透明）のドットパターンは、周知な技術であったと認められる。
　また、イメージに関する情報を示すコードが、美観を損ね、かつ記載密度の低下を招くという問題点は、本願の優先日前にすでに当業者に広く知られており、この問題点を解決するために、コードを目に見えない形式で、イメージに重畳して印刷することも周知である（特開平７−１０８７８６号公報の段落【０００５】，【００１４】−【００１５】，【図１】−【図５】）。
　したがって、引用発明において、パターンが美観を損ね、かつ記載密度の低下を招くといった問題点を解決するために、引用発明のパターンに、不可視（透明）のドットパターンに係る前述の周知技術を採用し、媒体表面にイメージまたはテキストと重畳して印刷され、当該イメージまたはテキストに対応するコード番号情報が含まれた、そのようなドットパターンとして構成することは、当業者が容易に想到し得ることである。
　
　また、本願補正発明の効果も、引用発明及び周知技術から、当業者にとって予測可能な範囲内のものである。
　
　
（ｅ）むすび
　以上のとおり、本願補正発明は、引用発明及び周知技術に基づいて、当業者が容易に発明をすることができたものであるから、特許法第２９条第２項の規定により、特許出願の際独立して特許を受けることができないものである。したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
　
第３　本願発明
　上記のとおり、本件補正は却下されたので、本願の請求項１に係る発明（以下、「本願発明」という。）は、平成２３年４月２８日に提出された手続補正書の特許請求の範囲の請求項１に記載された事項により特定される、以下のとおりのものである。 
「音声情報を入力する音声情報入力手段と、
　媒体表面にイメージまたはテキストと重畳して印刷され、所定の配置法則で印刷されたドットパターンを読み取る光学読取手段と、
　前記音声情報入力手段から入力された音声情報を、前記光学読取手段で読み取られたドットパターンに関連付けて記憶する記憶手段と、
　前記光学読取手段によって前記ドットパターンが再度読み取られたときに、前記記憶手段から当該ドットパターンに関連付けられた音声情報を読み出して出力する音声出力手段と
　からなる音声情報記録・再生装置。」
　
　
第４　引用例
　原査定の拒絶の理由に引用された引用例、及びその記載事項は、前記「第２　補正の却下の決定　［理由］（ｂ）」に記載したとおりである。 
　
　
第５　対比・判断
 　本願発明は、前記「第２　補正の却下の決定」で検討した本願補正発明の「媒体表面にイメージまたはテキストと重畳して印刷され、
当該イメージまたはテキストに対応するコード番号情報が含まれた、そのような
　そうすると、本願発明の構成要件をすべて含み、さらに限定したものに相当する本願補正発明が、前記「第２　補正の却下の決定」に記載したとおり、引用発明及び周知技術に基づいて当業者が容易に発明をすることができたものであるから、本願発明も同様の理由により、引用発明及び周知技術に基づいて、当業者が容易に発明をすることができたものである。 
 　 
 　 
第６　むずび 
　以上のとおり、本願発明は、引用発明及び周知技術に基づいて、当業者が容易に発明をすることができたものであるから、特許法第２９条第２項の規定により、特許を受けることができない。
　したがって、本願は、その余の請求項について論及するまでもなく拒絶すべきものである。
　よって、結論のとおり審決する。